(57)【要約】 【課題】  施工性が良好で、また吐水金具に取り付けることができる遠隔操作式排水栓装置を提供する。【解決手段】  排水口（１）と、該排水口（１）を開閉する弁体（２）と、該弁体（２）を動作させる駆動部と、弁体（２）の動作を操作する操作部（３）と、操作部（３）と駆動部の間を接続する操作伝達部材と、から成る遠隔操作式排水栓装置において、操作伝達部材を、ケーシングチューブ（４ａ）と、インナーワイヤ（４ｂ）と、より成るレリースワイヤ（４）とすると共に、更に、通孔部（５ａ）を備えた、ケーシングチューブ（４ａ）の端部を駆動部に接続するための袋ナット（５）と、袋ナット（５）内に収納可能で、且つ通孔部（５ａ）より抜脱することが無い形状であって、ケーシングチューブ（４ａ）の端部に設けた係合部と係合する被係合部を備えたストッパー（６）と、を備えたことを特徴とする遠隔操作式排水栓装置。    【選択図】  図１
2006342668.tif 000002
【特許請求の範囲】
【請求項１】
排水口（１）と、
該排水口（１）を開閉する弁体（２）と、
該弁体（２）を動作させる駆動部と、
排水口（１）から離れた場所に備えられる、弁体（２）の動作を操作する操作部（３）と、
操作部（３）と駆動部の間を接続して、操作部（３）に加えられた操作を駆動部に伝達する操作伝達部材と、
から成る遠隔操作式排水栓装置において、駆動部が、排水装置本体の下方を向いた面から取り外し可能とすると共に、
更に駆動部を排水栓装置本体に仮止めして、駆動部の落下を防止する落下防止具（７）を備えたことを特徴とする遠隔操作式排水栓装置。
【請求項２】
キャビネット部（Ｋ）と吐水金具（Ｔ）を備えた排水機器に取り付けられる上記遠隔操作式排水栓装置において、
吐水金具（Ｔ）に、レリースワイヤ（４）は挿通可能で、袋ナット（５）は挿通不可能な大きさであり、キャビネット部（Ｋ）の内外を連通する挿通孔（８ａ）を有する取付部（８）を設けると共に、
上記操作部（３）を、挿通孔（８ａ）にレリースワイヤ（４）を挿通した状態で取付部（８）に取り付け固定することを特徴とする、上記請求項１に記載の遠隔操作式排水栓装置。
【発明の詳細な説明】
【技術分野】
【０００１】
本発明は洗面台や浴槽などの底部に設けられた排水口を、排水口より離れた箇所より行った操作にて開閉する遠隔操作式排水栓装置に関し、更に詳しくは、遠隔操作式排水栓装置の操作部に加えられた操作を排水栓装置本体に伝達する操作伝達部材と、その操作を受けて排水栓を開閉する駆動部の取り付け構造に関する。
【背景技術】
【０００２】
従来よく知られた遠隔操作式排水栓装置としては、図７乃至図８に示したような遠隔操作式排水栓装置がある。以下に図７乃至図８に示した従来例の遠隔操作式排水栓装置を、図面を参照しつつ説明する。図７乃至図８に図示した従来例の遠隔操作式排水栓装置は、以下に記載した排水栓、弁体、駆動部としてのスラストロック部材、操作伝達部材としてのレリースワイヤ、操作部、その他の各部材より構成されて成る。排水栓は、内部に排水口を形成する略円筒形状であって、その上縁外周側にフランジ部を設けてなる。弁体は、上記排水口を開閉する弁部と、該弁部の中心より下方に向けて垂下された弁軸より成る。スラストロック部材は、後端への押し込み操作毎に、先端部が突出した状態で固定／固定を解除して先端部が後退、を繰り返す軸部を備えて成り、遠隔操作式排水栓装置の施工完了時には、先端部が弁体の弁軸下端に、後端部が後述するレリースワイヤのインナーワイヤ先端に、それぞれ当接するように配置される。レリースワイヤは、筒状にして側面方向に可撓性を備え、駆動部であるスラストロック部材側の端部に外周面に沿って環状に鍔部を備えたケーシングチューブと、該ケーシングチューブ内を軸方向に進退自在に摺動するインナーワイヤと、操作部側にインナーワイヤを付勢する戻りスプリングと、から成り、更に、ケーシングチューブの鍔部よりも小径で、鍔部以外の場所で摺動可能な大きさの通孔部を備え、ケーシングチューブ上を自在に摺動し、後述する収納部に収納されたスラストロック部材をレリースワイヤに接続した状態で取り付け固定する袋ナットと、より成る。尚、該袋ナットとレリースワイヤは成形段階において袋ナットの通孔部にレリースワイヤが挿通した状態で成型され、鍔部によって抜脱不可能となっている。操作部は、上記レリースワイヤに接続され、上記レリースワイヤのインナーワイヤの進退を介して駆動部を操作させ、排水口の開閉操作を行うものである。またその他の部材として、排水栓に接続されるＬ字状に屈曲した管体であって、弁体の直下位置にスラストロック部材を収納する収納部を有したエルボ部材と、エルボ部材と床下配管を接続し、且つ下水側からの臭気や害虫類の進入を防止するすトラップ配管部を備えて成る。
【０００３】
また、上記の遠隔操作式排水栓装置は、下記のように構成された排水機器である洗面台に取り付けられる。洗面台は、前面に開閉可能な扉を有したキャビネット部と、該キャビネット部の上方に備えられ、その底面に取着孔を設けた洗面ボウルとから成り、更に洗面ボウルには、その上面部に、給水管に接続され、洗面ボウル内に上水を吐出する吐水金具と、吐水金具とは離れた場所に、ケーシングチューブが挿通可能な挿通孔を設けた操作部の取付部を備えて成る。
【０００４】
上記段落０００２に記載した遠隔操作式排水栓装置は、以下のようにして段落０００３に記載した洗面台に施工される。あらかじめ工場にて、スラストロック部材をエルボ部材の収納部に収納し、袋ナットを用いて、レリースワイヤの一方の端部を、スラストロック部材の後端に当接させた状態で排水エルボに取り付け固定する。この時、収納部の開口の向きを横方向に向けるなどすることで、収納部内にスラストロック部材を収納する際の落下などを防止することができ、スラストロック部材の取付を極めて容易におこなうことができる。次に施工現場にて、排水栓を取着孔に取り付け固定し、更に排水栓とエルボ部材を、次いでエルボ部材とトラップ配管部をそれぞれ接続した上で、位置合わせを行いつつトラップ配管部と床下配管と接続する。更に操作部を取付部に取り付けしてから、レリースワイヤを操作部に接続し、弁軸下端をスラストロック部材の軸部先端に当接するようにして弁体を排水口に配置し、遠隔操作式排水栓装置の施工が完了する。
【０００５】
上記段落０００４のように施工された遠隔操作式排水栓装置を使用する場合、まず操作部に操作を加えて、図７にあるように弁体が排水口を閉口した状態、即ちスラストロック部材の軸部が下方に後退した状態とする。この状態より操作部に操作を加えて、インナーワイヤを介しスラストロック部材の後端に押し込み操作を加えると、スラストロック部材の軸部が上方に突出した状態で固定される。これによって、弁軸下端が押し上げられ、弁体が上昇し、排水口が開口する。この状態より再度操作部に操作を加えて、インナーワイヤを介し、スラストロック部材の後端に押し込み操作を加えると、スラストロック部材の軸部の固定が解除され、スラストロック部材の軸部が下方に降下する為、弁体が下降し、排水口が弁部により閉口される。以後、同様の操作を繰り返すことで排水口の開口／閉口を自在に操作することができる。
【発明の開示】
【発明が解決しようとする課題】
【０００６】
しかしながら、上記のような遠隔操作式排水栓装置においては、以下のような問題があった。
省スペース化や意匠性の向上のために、排水機器の吐水金具に操作部を取り付けることが試案されてきたが、袋ナットとレリースワイヤが成形段階において抜脱不可能なように形成されている遠隔操作式排水栓装置においては、以下のような理由から操作部を吐水金具に取り付ける事ができなかった。
１．吐水金具に操作部を取り付ける場合、操作部が吐水金具内に収納されるようにして取り付けられるため、従来例のように操作部を吐水金具に取り付けた後、操作部にレリースワイヤを取り付けることは不可能である。しかしながら、操作部にレリースワイヤを接続した後、操作部を吐水金具の取付部に取り付けるためには、レリースワイヤのみならず、袋ナットを吐水金具の取付部に設けた挿通孔に通さねばならない。しかし、袋ナットが通れる程度に挿通孔を大型化すると、吐水金具が部分的に大型化して意匠的に甚だ悪い、また対応する部分の形状も大型化しなければならない、等の問題があって実際上実施は不可能である。
２．吐水金具を部分的に大型化するなどして、袋ナットが挿通できる程度に挿通孔を大径とした吐水金具においても、レリースワイヤの接続が両端共に行ってから、エルボ配管やトラップ配管等の配管部分の施工を行うと、施工の際レリースワイヤが邪魔になって配管の方向を自由に動かすことができなくなってしまうことがある。このため、少なくともレリースワイヤの一方の端部がフリーな状態で配管部分の施工を行い、その施工が完了してからレリースワイヤの残る端部の接続を行うのであるが、上記のように吐水金具に操作部を取り付ける場合、必ず操作部側のレリースワイヤの接続が行われてから、エルボ部材側のレリースワイヤの接続が行われることとなる。しかしながら、レリースワイヤの接続は駆動部であるスラストロック部材の取り付け固定を兼ねているため、駆動部をエルボ部材の下方から挿入してエルボ部材内に収納するような上記構成の遠隔操作式排水栓装置の場合、レリースワイヤの取り付け時に駆動部が落下し易いなど施工性に問題がある。また駆動部が落下すると駆動部の紛失や最悪の場合駆動部が破損して遠隔操作式排水栓装置が使用できない場合が生じるなど、施工性のみならず遠隔操作式排水栓装置の信頼性にも問題を生じるものであった。本発明は上記問題点に鑑み考案されたもので、レリースワイヤを遠隔操作式排水栓装置に接続する際に、共回りが生じない、レリースワイヤの交換時に破損があった部材のみの交換で修理を可能とする、また操作部を意匠性や施工性などの悪化が無いままに吐水金具に取り付けることが可能な遠隔操作式排水栓装置を提供するものである。
【課題を解決するための手段】
【０００７】
請求項１に記載の遠隔操作式排水栓装置は、排水口（１）と、該排水口（１）を開閉する弁体（２）と、該弁体（２）を動作させる駆動部と、排水口（１）から離れた場所に備えられる、弁体（２）の動作を操作する操作部（３）と、操作部（３）と駆動部の間を接続して、操作部（３）に加えられた操作を駆動部に伝達する操作伝達部材と、から成る遠隔操作式排水栓装置において、駆動部が、排水装置本体の下方を向いた面から取り外し可能とすると共に、更に駆動部を排水栓装置本体に仮止めして、駆動部の落下を防止する落下防止具（７）を備えたことを特徴とする遠隔操作式排水栓装置である。
【０００８】
請求項２に記載の遠隔操作式排水栓装置は、キャビネット部（Ｋ）と吐水金具（Ｔ）を備えた排水機器に取り付けられる上記遠隔操作式排水栓装置において、吐水金具（Ｔ）に、レリースワイヤ（４）は挿通可能で、袋ナット（５）は挿通不可能な大きさであり、キャビネット（Ｋ）の内外を連通する挿通孔（８ａ）を有する取付部（８）を設けると共に、上記操作部（３）を、挿通孔（８ａ）にレリースワイヤ（４）を挿通した状態で取付部（８）に取り付け固定することを特徴とする、上記段落０００７に記載の遠隔操作式排水栓装置である。
【発明の効果】
【０００９】
本発明は上記のように構成したため、以下のような優れた効果を奏する。
１）請求項１に記載の本発明においては、駆動部を、あらかじめ収納部内に仮止め固定することができるため、施工時に駆動部材が落下するなどして破損することがない。これは、特に吐水金具に操作部の取付部を備えたことで、駆動部の確実な固定が最後に行われるような遠隔操作式排水栓装置において有効である。
【実施例１】
【００１０】
本発明の実施例を、図面を参照しつつ説明する。図１乃至図５に図示した、本発明の遠隔操作式排水栓装置の実施例は、以下に記載した排水栓（９）、弁体（２）、駆動部としてのスラストロック部材（１０）、レリースワイヤ（４）、操作部（３）、その他の各部材より構成されて成る。排水栓（９）は、内部に排水口（１）を形成する略円筒形状であって、その上縁外周側にフランジ部（９ａ）を設けてなる。弁体（２）は、上記排水口（１）を開閉する弁部（２ａ）と、該弁部（２ａ）の中心より下方に向けて垂下された弁軸（２ｂ）よりなる。スラストロック部材（１０）は、後端への押し込み操作毎に、先端が突出した状態で固定／固定を解除して先端が後退、を繰り返す軸部（１０ａ）を備えて成り、遠隔操作式排水栓装置の施工時には、スラストロック部材（１０）の軸部（１０ａ）の先端が弁体（２）の弁軸（２ｂ）下端に、後端がレリースワイヤ（４）の先端に、それぞれ向かうように配置される。レリースワイヤ（４）は、中空の筒状にして側面方向に可撓性を備え、更にスラストロック部材（１０）側の端部に、係合部として、外周面に沿って環状に断面凸となる突出部（４ｄ）を軸方向視重なるように二重に設け、その間の窪み部分を軸方向視円形とした溝部（４ｃ）から成るケーシングチューブ（４ａ）と、該ケーシングチューブ（４ａ）内を軸方向に摺動自在に進退するインナーワイヤ（４ｂ）と、操作部（３）側にインナーワイヤ（４ｂ）を付勢する戻りスプリングを備えてなる。更にレリースワイヤ（４）には、以下に記載する袋ナット（５）及びストッパー（６）の二部材が備えられる。袋ナット（５）は、ケーシングチューブ（４ａ）の端部をスラストロック部材（１０）に接続する位置に取付固定するための部材であって、ケーシングチューブ（４ａ）の突出部（４ｄ）が挿通可能な大きさの通孔部（５ａ）を備えてなる。ストッパー（６）は、平面視板状にして円形であって、袋ナット（５）内に収納可能且つ通孔部（５ａ）よりも大径であり、更に被係合部として外縁から中央部に向かって上記溝部（４ｃ）が挿通可能な切欠部（６ａ）と、溝部（４ｃ）の窪み部分の径よりも大径で、且つケーシングチューブ（４ａ）の溝部（４ｃ）と嵌合する、切欠部（６ａ）と連通した嵌合孔（６ｂ）を設けてなる。操作部（３）は、上記レリースワイヤ（４）に接続され、加えられた操作を上記レリースワイヤ（４）を介してスラストロック部材（１０）に伝達し、排水口（１）の開閉操作を行うものである。またその他の部材として、排水栓（９）に接続される、Ｌ字状に屈曲した管体であって、弁体（２）の直下位置に、スラストロック部材（１０）を後述する落下防止具（７）ごと収納し、下方を向いた面から取り外し可能とする開口（１１ａ）を備えた収納部（１１ｂ）を有したエルボ部材（１１）と、上記スラストロック部材（１０）を収納する、有底筒状にして底面にレリースワイヤ（４）のインナーワイヤ（４ｂ）を挿通する孔を設け、且つ外側面に収納部（１１ｂ）と着脱自在に係合して仮止め固定される落下防止具（７）、及び、エルボ部材（１１）と床下配管を接続し、且つ下水側からの臭気や害虫類の進入を防止するトラップ配管部（Ｄ）を備えて成る。
【００１１】
また、上記の遠隔操作式排水栓装置は、下記のように構成された排水機器である洗面台に取り付けられる。洗面台は、前面が開閉可能な扉を有したキャビネット部（Ｋ）と、該キャビネット部（Ｋ）の上方に備えられ、その底面に取着孔（１２）を設けた洗面ボウルとから成り、更に洗面ボウルには、その上面部に、給水管に接続され、洗面ボウル内に上水を吐出する吐水金具（Ｔ）と、吐水金具（Ｔ）に、ケーシングチューブ（４ａ）が挿通可能な挿通孔（８ａ）を設けた操作部（３）の取付部（８）を備えて成る。
【００１２】
上記段落００１０に記載した遠隔操作式排水栓装置は、以下のようにして、段落００１１に記載した洗面台に施工される。まず工場にて、レリースワイヤ（４）の一端、溝部（４ｃ）を有しない側の端部を操作部（３）に接続し、更にレリースワイヤ（４）を吐水金具（Ｔ）の取付部（８）に設けた挿通孔（８ａ）に挿通した上で、操作部（３）を取付部（８）に取り付け固定する。また、スラストロック部材（１０）を落下防止具（７）内に収納した後、スラストロック部材（１０）ごと落下防止具（７）をエルボ部材（１１）の収納部（１１ｂ）内に収納する。この時、収納部（１１ｂ）の開口（１１ａ）の向きを横方向に向けるなどすることで、収納部（１１ｂ）内にスラストロック部材（１０）を収納する際の落下などを防止することができ、スラストロック部材（１０）の取付を極めて容易に行うことができる。この作業は施工現場でも容易に行うことができるが、実際には、工具や環境が整っている工場内で行う方が便利である。またこの作業を工場で行った場合、スラストロック部材（１０）の取付終了後に、エルボ部材（１１）を施工現場に向かって搬送することになるが、落下防止具（７）によって、スラストロック部材（１０）はエルボ部材（１１）の収納部（１１ｂ）内部に収納され仮止め固定された状態で保持され、搬送中に振動等によって抜脱することはない。次に、施工現場にて、袋ナット（５）の通孔部（５ａ）にレリースワイヤ（４）を挿通した上で、溝部（４ｃ）を、ストッパー（６）の切欠部（６ａ）を通して嵌合孔（６ｂ）に嵌合させる。次いで排水栓（９）にエルボ部材（１１）を取り付けし、更にエルボ部材（１１）から床下配管に配管を行う。この時、スラストロック部材（１０）を収納した落下防止具（７）が、エルボ部材（１１）内に仮止め固定されているため、エルボ部材（１１）の開口（１１ａ）が下方を向いてもスラストロック部材（１０）は落下することがない。この後、袋ナット（５）を開口（１１ａ）に取り付けてスラストロック部材（１０）を確実に接続固定する。またこの時、締め付けが完了する直前になると、ストッパー（６）と、袋ナット（５）の通孔部（５ａ）周縁が強く当接して、袋ナット（５）の回転に併せてストッパー（６）が回転する共回り現象を生じるが、ストッパー（６）の嵌合孔（６ｂ）の径を、溝部（４ｃ）の窪み部分の径よりも大径に構成しているため、ストッパー（６）のみが回転し、ケーシングチューブ（４ａ）は回転しないため、ケーシングチューブ（４ａ）に捻れが生じることはなく、ケーシングチューブ（４ａ）が破損したり、あるいは捻れによってインナーワイヤ（４ｂ）の進退動作が自在にできなくなるなどの作動不良が生じることもない。上記のようにして袋ナット（５）を開口（１１ａ）に接続することで、遠隔操作式排水栓装置の施工が完了する。
【００１３】
上記のように構成した遠隔操作式排水栓装置は、上記段落０００５に記載した従来例と同様の操作を行うことで、操作部（３）から自在に排水口（１）を開閉することができる。
【００１４】
本発明の実施例は上記のようであるが、本発明は上記実施例に限定されるものではなく、発明の要旨を変更しない範囲で、自由にその構成を変更することが可能である。例えば、上記実施例においては、ケーシングチューブ（４ａ）に設けた係合部を溝部（４ｃ）とすると共に、ストッパー（６）を板状とし、更に被係合部を切欠部（６ａ）と嵌合孔（６ｂ）とより構成しているが、図６に示したように、ケーシングチューブ（４ａ）の端部に設けた係合部を外周面に沿って環状に断面凸となる突出部（４ｄ）とし、ストッパー（６）を割ブロック体とし、該割ブロック体内に、突出部（４ｄ）の外郭形状に適合する係合溝（６ｃ）を設けて被係合部としても本発明の目的を達成することができる。
【００１５】
また、上記実施例では、排水機器に設けた吐水金具（Ｔ）に取付部（８）を設けた構成としているが、段落０００３に記載したような、吐水金具（Ｔ）と取付部（８）とを別々に設けた排水機器においても本発明を採用することができる。上記のような構成としても、レリースワイヤ（４）を操作部（３）に接続した後、操作部（３）を取付部（８）に取り付けてから、収納部（１１ｂ）の開口（１１ａ）に袋ナット（５）を取り付けることができるため、従来の構成に比べ、施工性が格段に向上する。
【００１６】
また、吐水金具（Ｔ）と取付部（８）とを別々に設けた排水機器に、レリースワイヤ（４）は従来の構成のまま、落下防止具（７）のみ利用することもできる。このような構成の遠隔操作式排水栓装置でも、メンテナンス時などにおいて、袋ナット（５）のみ取り外す際などに、スラストロック部材（１０）等の駆動部の落下を防ぐことができ、従来の構成に比べ、作業性が格段に向上する。
【図面の簡単な説明】
【００１７】
【図１】本発明の実施例の、一部を切欠した側面図である。
【図２】本発明の実施例の、部材構成を示す斜視図である。
【図３】本発明の実施例の、施工が完了した状態を示す斜視図である。
【図４】本発明の実施例の、レリースワイヤ端部とストッパーを示す斜視図である。
【図５】本発明の実施例の、スラストロック部材と落下防止具を示す斜視図である。
【図６】本発明の、他の係合方法を採用した実施例によるレリースワイヤ端部とストッパーを示す斜視図である。
【図７】従来例による遠隔操作式排水栓装置の断面図である。
【図８】従来例による遠隔操作式排水栓装置の、施工状態を示す斜視図である。
【符号の説明】
【００１８】
１      排水口                    ２      弁体
２ａ    弁部                      ２ｂ    弁軸
３      操作部                    ４      レリースワイヤ
４ａ    ケーシングチューブ        ４ｂ    インナーワイヤ
４ｃ    溝部                      ４ｄ    突出部
５      袋ナット                  ５ａ    通孔部
６      ストッパー                ６ａ    切欠部
６ｂ    嵌合孔                    ６ｃ    係合溝
７      落下防止具                ８      取付部
８ａ    挿通孔                    ９      排水栓
１０    スラストロック部材        １０ａ  軸部
１１    エルボ部材                １１ａ  開口
１１ｂ  収納部                    １２    取着孔
Ｄ      トラップ配管部            Ｋ      キャビネット部
Ｔ      吐水金具
【図１】
2006342668.tif 000003
【図２】
2006342668.tif 000004
【図３】
2006342668.tif 000005
【図４】
2006342668.tif 000006
【図５】
2006342668.tif 000007
【図６】
2006342668.tif 000008
【図７】
2006342668.tif 000009
【図８】
2006342668.tif 000010